(57)【特許請求の範囲】
【請求項１】
起動スイッチと、エアを供給するコンプレッサと、表示部と、第１の制御回路とを備えた血圧計装置と、被験者の測定部位を加圧するカフと、第２の制御回路を備えたカフ装置とを備えた血圧測定システムで、前記血圧計装置と前記カフ装置とを接続する配管を備え、前記カフ装置は、前記起動スイッチの操作により前記コンプレッサを作動させることにより流れるエアを溜めるエア溜部と、該エア溜部の圧力を検出する第１の圧力検出部と、前記カフの内圧を測定する第２の圧力検出部と、前記内圧を減圧させる排気弁とを設け、第１の圧力検出部の圧力が第１の所定圧以上に達したことを検出したとき、前記コンプレッサのエアを前記カフに導き、前記内圧が第２の所定圧に達した後、前記排気弁を作動して被験者の最高血圧、最低血圧を取得するよう制御する血圧測定システム。
【請求項２】
起動スイッチと、エアを供給するコンプレッサと、表示部と、第１の制御回路とを備えた血圧計装置と、被験者の測定部位を締め付けるカフと、前記カフと接続する回転体と、前記回転体を回転させ、前記測定部位を前記カフで締め付けるよう駆動するモータと、前記モータの回転を阻止するロック機構と、第２の制御回路と、前記カフを収容する収容部とを備えたカフ装置とを備えた血圧測定システムで、前記血圧計装置と前記カフ装置とを接続する配管を備え、前記カフ装置は、前記起動スイッチの操作により第１の制御回路を作動させて前記コンプレッサを作動させることにより前記配管を介して流れるエアを溜めるエア溜部と、該エア溜部の圧力を検出する第１の圧力検出部と、前記カフの内圧を検出する第２の圧力検出部と、前記内圧を減圧させる排気弁とを設け、第２の制御回路により第１の圧力検出部の圧力が第１の所定圧以上に達したことを検出すると、前記モータを駆動させ、前記モータの駆動電流が所定値以上に達したことを検出すると、前記ロック機構を作動させて前記コンプレッサのエアを前記カフに導き、前記内圧が第２の所定圧以上に達したときに前記コンプレッサの作動を停止し、前記排気弁を作動させて被験者の最高血圧、最低血圧を取得するよう制御する血圧測定システム。
【請求項３】
被験者の測定部位を挿入して該測定部位をエアにより加圧するカフと、前記カフを収容する収容部と、制御回路とを備えたカフ装置で、別設の血圧計装置と前記カフ装置とを接続する配管とを備え、前記カフ装置は前記測定部位と直接接触するカフを備え、前記カフ装置は前記血圧計装置の起動スイッチの操作により前記血圧計装置に配された別設の血圧計装置のコンプレッサが作動されることにより前記配管を介して流れるエアの圧力を溜めるエア溜部と、該エア溜部の圧力を検出する第１の圧力検出部と、前記カフの内圧を測定する第２の圧力検出部と、前記内圧を減圧させる排気弁とを設け、第１の圧力検出部の圧力が第１の所定圧以上に達したことを検出したとき、前記コンプレッサのエアを前記カフに導き、前記内圧が第２の所定圧に達したことを検出したとき、前記排気弁を作動させて被験者の最高血圧、最低血圧を取得するよう制御するよう制御するカフ装置。
【請求項４】
被験者の測定部位を締め付けるカフと、前記カフと接続する回転体と、前記回転体を回転させて前記測定部位を前記カフで締め付けるよう駆動するモータと、前記カフを収容する収容部と、制御回路とを備えたカフ装置で、別設の血圧計装置と前記カフ装置とを接続する配管を備え、前記カフ装置は、前記起動スイッチの操作により前記制御回路を作動させて前記コンプレッサを作動させることにより前記配管を介して流れるエアを溜めるエア溜部と、該エア溜部の圧力を検出する第１の圧力検出部と、前記カフの内圧を測定する第２の圧力検出部と、前記内圧を減圧させる排気弁とを設け、前記制御回路により第１の圧力検出部の圧力が第１の所定圧以上に達したことを検出すると、前記モータを駆動させ、前記モータの駆動電流が所定値に達したときに前記モータの駆動を停止した後、モータの回転を阻止するロック機構で前記モータの回転を阻止し、前記コンプレッサのエアを前記カフに導き、前記内圧が第２の所定圧以上に達したときに、前記内圧を徐々に減圧するよう前記排気弁を徐々に開放する過程で最高血圧、最低血圧を取得するよう制御するカフ装置。
【発明の詳細な説明】
【技術分野】
【０００１】
本発明は、被験者の血圧を測定する際に被験部の周囲に配したカフにエアを送って被験
部を加圧して血圧を測定する血圧測定システム及びカフ装置に関する。
【背景技術】
【０００２】
特許文献１は図１８に示すように、血圧計６１は、主に、本体６２と、測定部位である上腕に巻付けるカフ６３とを備え、それらがエア管６４で接続される。本体６２の正面には、測定の開始／停止を指示するためのスイッチ６５−１、記録されている過去のデータ等を呼出して表示させることを指示するためのスイッチ６５−２、および時計を設定する操作を行なうためのスイッチ６５−３などを含んだ操作部６５と、表示器６６とが配備されている。
【０００３】
特許文献２は図１９に示すように、腕挿入型血圧計７１を示し、血圧計本体７２、血圧値(最高血圧／最低血圧)、脈拍、 日付、時刻等を表示するＬＥＤ、ＬＣＤ 等の表示部７３、カフ７４、電源電池を収納する電池収納部７５、測定開始スイッチ７６を備えている。
【先行技術文献】
【特許文献】
【０００４】
【特許文献１】特開２００８−２２８９１６号公報
【特許文献２】特開２００５−３３４４４５号公報
【発明の概要】
【発明が解決しようとする課題】
【０００５】
特許文献１の血圧計では血圧測定の都度、カフを腕に巻かなくてはならないように操作性が悪く、巻き方によって正確な血圧を測定することができない場合が欠点を有する。
【０００６】
特許文献１の血圧計を使っている人が血圧計としては操作性が悪いことで、特許文献２に示すような血圧計をあらためて購入するのに費用がかかる欠点を有していた。しかし特許文献1に示すような手持ちの血圧計を、腕挿入型の操作性のよい特許文献２のようなカフ装置とを組み合わせて操作性のよい血圧計に改造することはこれまで考えられていなかった。特許文献１のような血圧測定の都度カフを腕に巻くようなタイプの血圧計のカフの部分を操作性のよい腕挿入型の血圧計のカフを組み合わせて使う場合に、最初からそのような設計をすると可能ではあるが、市販の血圧測定の都度カフを腕に巻くようなタイプの血圧計と腕挿入型の血圧計のカフをどのように組み合わせて使うか示されていないし、考えられてもいなかった。
【課題を解決するための手段】
【０００７】
請求項１は、起動スイッチと、エアを供給するコンプレッサと、表示部と、第１の制御回路とを備えた血圧計装置と、被験者の測定部位を加圧するカフと、第２の制御回路を備えたカフ装置とを備えた血圧測定システムで、前記血圧計装置と前記カフ装置とを接続する配管を備え、前記カフ装置は、前記の操作により前記コンプレッサを作動させることにより流れるエアを溜めるエア溜部と、該エア溜部の圧力を検出する第１の圧力検出部と、前記カフの内圧を測定する第２の圧力検出部と、前記内圧を減圧させる排気弁とを設け、第１の圧力検出部の圧力が第１の所定圧以上に達したことを検出したとき、前記コンプレッサのエアを前記カフに導き、前記内圧が第２の所定圧に達した後、前記排気弁を作動して被験者の最高血圧、最低血圧を取得するよう制御する血圧測定システムを提供することにある。
【０００８】
請求項２は、起動スイッチと、エアを供給するコンプレッサと、表示部と、第１の制御回路とを備えた血圧計装置と、被験者の測定部位を締め付けるカフと、前記カフと接続する回転体と、前記回転体を回転させ、前記測定部位を前記カフで締め付けるよう駆動するモータと、前記モータの回転を阻止するロック機構と、第２の制御回路と、前記カフを収容する収容部とを備えたカフ装置とを備えた血圧測定システムで、前記血圧計装置と前記カフ装置とを接続する配管を備え、前記カフ装置は、前記の操作により第１の制御回路を作動させて前記コンプレッサを作動させることにより前記配管を介して流れるエアを溜めるエア溜部と、該エア溜部の圧力を検出する第１の圧力検出部と、前記カフの内圧を検出する第２の圧力検出部と、前記内圧を減圧させる排気弁とを設け、第２の制御回路により第１の圧力検出部の圧力が第１の所定圧以上に達したことを検出すると、前記モータを駆動させ、前記モータの駆動電流が所定値以上に達したことを検出すると、前記ロック機構を作動させて前記コンプレッサのエアを前記カフに導き、前記内圧が第２の所定圧以上に達したときに前記コンプレッサの作動を停止し、前記排気弁を作動させて被験者の最高血圧、最低血圧を取得するよう制御する血圧測定システムを提供することにある。
【０００９】
請求項３は、被験者の測定部位を挿入して該測定部位をエアにより加圧するカフと、前記カフを収容する収容部と、制御回路とを備えたカフ装置で、別設の血圧計装置と前記カフ装置とを接続する配管とを備え、前記カフ装置は前記測定部位と直接接触するカフを備え、前記カフ装置は前記血圧計装置のの操作により前記血圧計装置に配された別設の血圧計装置のコンプレッサが作動されることにより前記配管を介して流れるエアの圧力を溜めるエア溜部と、該エア溜部の圧力を検出する第１の圧力検出部と、前記カフの内圧を測定する第２の圧力検出部と、前記内圧を減圧させる排気弁とを設け、第１の圧力検出部の圧力が第１の所定圧以上に達したことを検出したとき、前記コンプレッサのエアを前記カフに導き、前記内圧が第２の所定圧に達したことを検出したとき、前記排気弁を作動させて被験者の最高血圧、最低血圧を取得するよう制御するよう制御するカフ装置を提供することにある。
【００１０】
請求項４は、被験者の測定部位を締め付けるカフと、前記カフと接続する回転体と、前記回転体を回転させて前記測定部位を前記カフで締め付けるよう駆動するモータと、前記カフを収容する収容部と、制御回路とを備えたカフ装置で、別設の血圧計装置と前記カフ装置とを接続する配管を備え、前記カフ装置は、前記の操作により前記制御回路を作動させて前記コンプレッサを作動させることにより前記配管を介して流れるエアを溜めるエア溜部と、該エア溜部の圧力を検出する第１の圧力検出部と、前記カフの内圧を測定する第２の圧力検出部と、前記内圧を減圧させる排気弁とを設け、前記制御回路により第１の圧力検出部の圧力が第１の所定圧以上に達したことを検出すると、前記モータを駆動させ、前記モータの駆動電流が所定値に達したときに前記モータの駆動を停止した後、モータの回転を阻止するロック機構で前記モータの回転を阻止し、前記コンプレッサのエアを前記カフに導き、前記内圧が第２の所定圧以上に達したときに、前記内圧を徐々に減圧するよう前記排気弁を徐々に開放する過程で最高血圧、最低血圧を取得するよう制御するカフ装置を提供することにある。
【発明の効果】
【００１１】
上述したように、カフを被験者の測定部位に巻いて血圧を測定するタイプの血圧計のカフに接続する配管を腕挿入型血圧計のカフ装置に取り付け、前者血圧計を起動して前者血圧計のコンプレッサからのエアを前者カフ装置のエア溜部に導いてその圧を検知してカフ装置のカフを作動させるので確実に適正な測定値を得ることのできる血圧計を提供することができる。
【００１２】
また血圧計以外の機器の表示部に別体にカフ装置を接続して血圧値を表示することができるので利用用途を拡大できる。
【００１３】
しかもカフを被験者の測定部位に巻いて血圧を測定するタイプの血圧計とカフ装置とを電気的な通信を行なうことなしにカフ装置を作動させることができるので汎用性の高い血圧測定システムが実現できる。
【図面の簡単な説明】
【００１４】
【図１】本発明の血圧測定システムを示す第１の概念図
【図２】本発明の血圧測定システムを示す第２の概念図
【図３】本発明の血圧測定システムに用いるカフの一例を示す構造を示す図
【図４】本発明の血圧測定システムにおけるカフ装置の内部構造を示す図
【図５】本発明の血圧測定システムを示す第１の実施例を示すブロック図
【図６】本発明の血圧測定システムにおける第１の実施例を構成する各要素の作動を示すフローチャート
【図７】本発明の血圧測定システムにおける第１の実施例を構成する各要素の信号のタイミングチャート
【図８】本発明の血圧測定システムを示す第２の実施例を示すブロック図
【図９】本発明の血圧測定システムにおける第２の実施例を構成する各要素の作動を示すフローチャート
【図１０】本発明の血圧測定システムにおける第２の実施例を構成する各要素の信号のタイミングチャート
【図１１】本発明の血圧測定システムを示す第３の実施例を示す構造図
【図１２】本発明の血圧測定システムを示す第３の実施例を示すブロック図
【図１３】本発明の血圧測定システムを示す第３の実施例を示すフローチャート
【図１４】本発明の血圧測定システムにおける第３の実施例を構成する各要素の                  タイミングチャート
【図１５】本発明の血圧測定システムを示す第４の実施例を示すフローチャート
【図１６】本発明の血圧測定システムにおける第４の実施例を構成する各要素の                  タイミングチャート
【図１７】本発明における血圧計の被験者の腕を締め付けるカフを駆動するモータを停止させてコンプレッサを作動させるときにカフが不用意に移動するのを防止するための回路を示す回路図
【図１８】従来例１
【図１９】従来例２
【発明を実施するための形態】
【００１５】
図１は、本発明の血圧測定システムにおける第１の概念図を示す。
【００１６】
１はカフ装置を、２は不図示の被験者の腕を挿入して加圧するカフを、３は被験者の腕、手首を載置する載置台を示す。４はカフ装置と５で示す血圧計とを接続してエアを導く配管を示す。６は被験者の血圧の測定を開始する血圧測定スイッチ、７は測定中に測定動作を停止する停止スイッチ、８は測定した血圧の結果を示す表示部を示し、血圧計５は不図示の電源を備えている。
【００１７】
図２は、本発明の血圧測定システムにおける第２の概念図を示す。
【００１８】
図２は図１に示した血圧計５の代わりに例えば５Ａで示す血圧以外の心電も測定できる多機能を備えた血圧計を接続し、カフ装置１のカフに測定部を挿入した後に血圧測定スイッチ６Ａをオンして血圧測定を開始し、測定された被験者の血圧値を表示部８で表示するものである。なお、多機能を備えた血圧計５Ａは血圧計５と同様に不図示の電源を備え、且つ不図示のコンプレッサを備えている。
【００１９】
図３は、本発明に用いられるカフの構造の一例を示す図である。
【００２０】
２Ａはカフ２の内布を示し、２Ｂはカフ２の外布を示し、内布２Ａと外布２Ｂとの間にカフ２の被験者の上腕Ｘを包囲するように内部に空間部を有する２Ｃで示す阻血袋を内装し、伸縮自在な阻血袋２Ｃを膨張させるために不図示のコンプレッサから空気を送る配管２Ｄを阻血袋２Ｃに連結している。本発明における第２実施例のカフ２は腕に直接接触する単一カフと単一カフの外側に接する外側カフを備えているものを使用する。
【００２１】
図４は、本発明の血圧測定システムにおけるカフ装置１の内部構造の一部を示した図を示す。
【００２２】
カフ装置１と円筒状のカフ２との空間部の下部に、血圧計５の後述の血圧計コンプレッサ１２から流れてきたエアを導き、流路を切り換える切換弁１３、エア溜部１６、エア溜部圧回路１７、エア溜部排気弁１８とが配されている。血圧計５の血圧測定スイッチ６をオンすると後述の血圧計コンプレッサ１２が作動し、そのエアが切換弁１３を介してエア溜部１６にエアが溜り、その圧力を測定するエア溜部１６の圧が所定圧以上の圧に達したことを検知すると、切換弁１３がエア溜部１６に流れたエアをカフ２に流れるように切り換え被験者の測定部位を加圧して血圧測定の開始がスタートする。
【００２３】
図５は、本発明の血圧測定システムにおける第１の実施例を示すブロック図である。
【００２４】
血圧測定システムで１０は、血圧計５の作用を制御する血圧計制御回路を、１１はカフ装置１の動作の制御をつかさどる制御回路を示す。血圧計制御回路１０には血圧測定スイッチ６と血圧の測定を停止する停止スイッチ７と表示部８が接続している。血圧計５には１２で示す血圧計コンプレッサを備え、血圧計制御回路１０と血圧計コンプレッサ１２とは１０Ａで示す信号線で接続し、血圧計制御回路１０は被験者の血圧を表示する表示器と接続している。
【００２５】
血圧計５に配された血圧計コンプレッサ１２とカフ装置１にある切換弁１３とは配管４を介して接続し、切換弁１３は切換弁１３に血圧計コンプレッサ１２から入ったエアがＡ側を通って流れる流路とＢ側を通って流れる流路の間で切り換えられようカフ側の出口をＡ側、エア溜側の出口をＢ側とし、その初期位置はB側とする。
【００２６】
切換弁１３のＢ側は１４で示す配管と接続し、配管１４から分岐した配管１５を介して１６で示すエア溜部と接続している。
【００２７】
１７はエア溜部１６の圧力を検出するエア溜部圧回路を示し、血圧測定スイッチ６をオンすることにより血圧コンプレッサ１２から流れるエアを、切換弁１３を介してエアの圧力を１７で示すエア溜部圧回路で検出した信号が９Ａで示す信号線により制御回路１１に入力される。
【００２８】
１８で示すエア溜部排気弁と制御回路１１とは９Bで示す信号線で結合しており、制御回路１１の信号によりエア溜部排気弁１８が開閉され、エア溜部排気弁１８が開放されると、エア溜部１６に溜められたエアは１６Ａで示す配管、溜部排気弁１８を介してエアが外に放出される。
【００２９】
切換弁１３と制御回路１１とは９Cで示す信号線により結合しており、エア溜部圧回路１７で所定以上の圧力に達したことを検出すると、切換弁１３は制御回路１１の信号により初期位置BからＡに弁が切り換わるように制御される。
【００３０】
１９は単一カフを示し、単一カフ１９は切換弁１３と２０で示す配管を介して接続され、２１で示す単一カフ排気弁は配管２０と、２２で示す配管を介して切換弁１３と接続している。更に２３で示す単一カフ圧回路は単一カフ１９と接続する２４で示す配管と接続し、単一カフ排気弁２１は制御回路１１とは信号線９Ｄにより結合している。制御回路１１の信号により単一カフ排気弁２１が動作し、単一カフ圧回路２３は制御回路１１と信号線９Ｅにより結合し、単一カフ圧回路２３は制御回路１１の信号により動作し、単一カフ１９により押圧された被験者の測定部位の圧力を検知する。
【００３１】
図６は、本発明の血圧測定システムにおける第１の実施例における制御回路１１の内容を示すフローチャートであり、図７は、本発明の血圧測定システムにおける第１の実施例を構成する各要素の信号のタイミングチャートを示し、タイミングチャートの下部にあるＳ１〜Ｓ９は図５のフローチャートの各ステップを意味する。
【００３２】
まず、Ｓ１で血圧計コンプレッサ１２からエア溜部１６と単一カフ１９の流路を切り換える切換弁１３（フローチャートでは切換弁をＶ０で示している）がエア溜部１６に流れるＢ側で、血圧計コンプレッサ１２のエアが溜まるエア溜部１６に溜まったエアを排気するエア溜部排気弁１８（フローチャートではＶ３で示している）が閉鎖状態で、かつエア溜部１６の圧力を測定するエア溜部圧回路１７がオン状態にして、血圧測定スイッチ６をオンすると、血圧計コンプレッサ１２から流れるエアがカフ装置１のエア溜部１６に流れ、エア溜部圧回路１７を作動してエア溜部１６のエアの圧力を測定し、所定圧以上であることを検知するとＳ２に進む。
【００３３】
Ｓ２では、カフ装置１の動作を制御する制御回路１１からの信号でエア溜部１６の圧が所定の圧に達してｔ１時間経過後、切換弁１３を、血圧コンプレッサ１２から流れるエアを単一カフ１９に流れるようにＡ側に切り換え、単一カフ１９と接続する単一カフ排気弁２１（フローチャートではＶ２で示す）を閉鎖すると、血圧コンプレッサ１２から流れるエアは単一カフ１９に流れ、被験者の測定部を加圧し始める。
【００３４】
次にＳ３に進み、エアが単一カフ１９にｎ秒間（図面では２秒）流れると、切換弁１３を再び、Ｂ側に切り換え、エア溜部排気弁１８（フローチャートではエア溜部排気弁をＶ３で示している）を開放してエア溜部１６に溜まったエアを排気する。
【００３５】
Ｓ４に進み、切換弁１３をＡ側に切り換え、単一カフ圧回路２３をオンする。
【００３６】
Ｓ５に進むと、単一カフ１９の内圧が最大血圧より高い圧、（ＭＡＸ＋α）Ｈｇ、例えば２３０ｍｍＨｇまで圧力を加わると加圧を終了する。
【００３７】
Ｓ６に進み、単一カフ排気弁２１を徐々に開いて減圧し、Ｓ７でコロトコフ音が発生したときに最高血圧と判断し、更に減圧してコロトコフ音が消えたときに最低血圧と判断する。
【００３８】
単一カフ１９の内圧が所定の圧より小さい値になるのを検知してＳ８に進み、単一カフ１９に接続する単一カフ圧回路２３の圧力が略ゼロになったときに、切換弁１３をＢ側に切り換え、エア溜部排気弁１８をオンにし、Ｓ９で血圧測定が終了させる。
【００３９】
図８は、本発明の血圧測定システムを示す第２の実施例を示すブロック図を示す。
【００４０】
カフ装置１は、第１の実施例を示す図４の単一カフ１９の代わりに、３０で示す内側カフと２５で示す外側カフと２６で示す外側カフ用コンプレッサ、２７、２９で示す配管、２８で示す外側カフ排気弁に代わり他は同じである。
【００４１】
外側カフ２５は、外側カフ排気弁２８と配管２９で接続し、外側カフ用コンプレッサ２６が外側カフ２５と配管２７と接続している。外側カフ排気弁２８と制御回路１１とは９Ｆで示される信号線で結合し、外側カフ排気弁２８は制御回路１１の信号により動作する。外側カフ用コンプレッサ２６と制御回路１１とは９Ｇで示される信号線で結合し、外側カフ用コンプレッサ２６は制御回路１１の信号により動作する。
【００４２】
図９は、本発明の血圧測定システムにおける第２の実施例における制御回路１１の内容を示すフローチャートである。図１０は、本発明の血圧測定システムにおける第２の実施例を構成する各要素の信号のタイミングチャートを示し、タイミングチャートの下部にあるＳ１１〜Ｓ１９は図８のフローチャートの各ステップを意味する。
【００４３】
まず、Ｓ１１で血圧計コンプレッサ１２からエア溜部１６と単一カフ１９の流路を切り換える切換弁１３（フローチャートではＶ０で示している）がエア溜部１６に流れるＢ側にあって、外側カフ用排気弁（フローチャートではＶ１で示している）が開放状態で、血圧計コンプレッサ１２のエアが溜まるエア溜部１６に溜まったエアを排気するエア溜部排気弁１８（フローチャートではＶ３で示している）が閉鎖状態で、かつエア溜部１６の圧力を測定するエア溜部圧回路１７がオン状態にして、血圧測定スイッチ６をオンすると、血圧計コンプレッサ１２から流れるエアがエア溜部１６に流れ、エア溜部圧回路１７を作動してエア溜部１６のエアの圧力を測定し、所定の圧以上であることを検知するとＳ１２に進む。
【００４４】
Ｓ１２では、カフ装置１の動作を制御する制御回路１１からの信号でエア溜部１６の圧が所定の圧に達してｔ１時間経過後、切換弁１３を、血圧コンプレッサ１２から流れるエアを単一カフ１９に流れるようにＡ側に切り換え、内側カフ３０と接続する内側カフ排気弁２３Ａ（フローチャートではＶ２で示す）を閉鎖すると、血圧コンプレッサ１２から流れるエアは内側カフ１９に流れはじめる。
【００４５】
次にＳ１３に進み、エアが内側カフ３０にｎ秒間（図面では２秒）流れると、切換弁１３を再び、Ｂに切り換え、エア溜部排気弁１８（フローチャートではエア溜部排気弁をＶ３で示している）を開放してエア溜部１６に溜まったエアを排気し、制御回路１１より信号線９Ｆを通って信号を与え、外側カフ用排気弁２８（フローチャートではＶ１で示す）を閉鎖し、外側カフ用コンプレッサ２６を制御回路１１から信号線９Ｃを通って信号を与えて外側カフ２５にエアを送る。
【００４６】
Ｓ１４に進み、切換弁１３をＡに切り換え、２３Ａで示す内側カフの内圧を検出する内側カフ圧回路をオンすると共に外側カフ用コンプレッサ２６をオフする。
【００４７】
Ｓ１５に進むと、内側カフの内圧が最大血圧より高い圧（ＭＡＸ＋α）Ｈｇ、例えば２３０ｍｍＨｇまで圧力を加わると加圧を終了する。
【００４８】
Ｓ１６に進み、２１Ａで示す内側カフ排気弁を徐々に開いて減圧し、Ｓ１７でコロトコフ音が発生したときに最高血圧と判断し、更に減圧してコロトコフ音が消えたときに最低血圧と判断する。
【００４９】
内側カフ３０の内圧が所定の圧より小さい値になるのを検知してＳ１８に進み、内側カフ圧回路２３の圧力が略ゼロになったときに、切換弁１３をＢにし、エア溜部排気弁１８をオンにし、Ｓ１９で血圧測定が終了させる。
【００５０】
図１１は、本発明の血圧測定システムを示す第３の実施例を示す構造図を示し、カフにエアを送ると共にエアをモータで回転させて被験者の測定部位である腕を加圧する方式である。
【００５１】
４１はカフを示し、４２はエアをカフ４１に供給するパイプを示す。カフ４１の一部４１Ａは４３で示す環と接続している。
【００５２】
４４は固定部を示し、固定部４４から張り出した部分４４Ａにカフ４１が固定されている。４５は歯付ベルトを示し、環４３に固定されている。４６はモータ、４７はモータ軸を示し４８はギアを示している。同様に４９はギア軸を、５０はギアを示している。
【００５３】
５１は被験者の測定部位を示し、モータ４８が回転すると、ギア４８．５０が回転するとともに、歯付ベルト４５が回転して、環４３が回転することにより環４３に固定されたカフが回転し、カフ４１の一部４１Ａが固定部４４Ａと環４３の間の隙間４３Ａに入り込み被験者の腕５１を締め付けるカフ４１で加圧する。
【００５４】
図１２は本発明の第３の実施例を示すブロック図を示す。
【００５５】
図４の単一カフ１９に対して図１２ではモータ４６の図が加わり、モータ４６に対して制御回路１１より信号線９Ｇより信号を送ってモータ４６の駆動開始、駆動停止を行なう。さらにモータ４６に流れる電流を測定するため４６Ａで示すモータ電流検出部に流れる電流を４６Ｂで示すＡ／Ｄ変換器でデジタル信号に変換して９Ｈで示す信号線で制御回路１１に入力し所定のデジタル値と比較するように構成されている。さらに４６Ｃで示すモータ駆動電圧制御回路と制御回路１１とを９Ｊで示す信号線で接続する。モータ駆動電圧制御回路４６Ｃによりモータ４６を駆動する電圧を制御する。
【００５６】
図１３は、本発明の血圧測定システムにおける第３の実施例における制御回路１１の内容を示すフローチャートを示す。図１４は、本発明の血圧測定システムにおける第３の実施例を構成する各要素の信号のタイミングチャートを示し、タイミングチャートの下部にあるＳ２１〜Ｓ２９は図１２のフローチャートの各ステップを意味する。
【００５７】
まず、Ｓ２１で血圧計コンプレッサ１２からエア溜部１６と単一カフ１９の流路を切り換える切換弁１３（フローチャートでは切換弁をＶ０で示している）がエア溜部１６に流れるＢ状態で、エア溜部１６に溜まったエアを排気するエア溜部排気弁１８（フローチャートではＶ３で示している）が閉鎖状態で、かつエア溜部１６の圧力を測定するエア溜部圧回路１７がオン状態にして、血圧測定スイッチ６をオンすると、血圧計コンプレッサ１２から流れるエアがエア溜部１６に流れ、エア溜部圧回路１７を作動してエア溜部１６のエアの圧力を測定し、所定の圧以上であることを検知するとＳ２２に進む。
【００５８】
Ｓ２２では、カフ装置１の動作を制御する制御回路１１からの信号でエア溜部１６の圧が所定の圧に達してｔ１時間経過後、切換弁１３を、血圧コンプレッサ１２から流れるエアを単一カフ１９に流れるようにＡ側に切り換え、単一カフ１９と接続する単一カフ排気弁２１（フローチャートではＶ２で示す）を閉鎖すると、血圧コンプレッサ１２から流れるエアは単一カフ１９に流れはじめる。
【００５９】
次にＳ２３に進み、エアが単一カフ１９にｎ秒間（図面では２秒）流れると、切換弁１３を再び、Ｂに切り換え、エア溜部排気弁１８（フローチャートではエア溜部排気弁をＶ３で示している）を開放してエア溜部１６に溜まったエアを排気する。
【００６０】
Ｓ２４に進み、切換弁１３をＡに切り換え、単一カフ圧回路２３をオンし、モータ４６をオンして歯付ベルト４５を駆動して環４３を回転しそれに接続するカフ４１で被験者の測定部５１を締め付ける。
【００６１】
Ｓ２５に進むと、単一カフ１９の内圧が最大血圧より高い圧、（ＭＡＸ＋α）Ｈｇ、例えば２３０ｍｍＨｇまで圧力を加わると加圧を終了する。
【００６２】
Ｓ２６に進み、単一カフ排気弁２１を徐々に開いて減圧し、Ｓ２７でコロトコフ音が発生したときに最高血圧と判断し、更に減圧してコロトコフ音が消えたときに最低血圧と判断する。
【００６３】
単一カフ１９の内圧が所定の圧より小さい値になるのを検知してＳ２８に進み、単一カフ１９に接続する単一カフ圧回路２３の圧力がゼロになったときに、切換弁１３をＢにし、エア溜部排気弁１８をオンにし、Ｓ２９で血圧測定が終了させる。
【００６４】
図１５は、本発明の血圧測定システムにおける第４の実施例を示すフローチャートを示し、第３の実施例の変形であり、図１６は、本発明の血圧測定システムにおける第４の実施例を構成する各要素の信号のタイミングチャートを示し、タイミングチャートの下部にあるＳ３１〜Ｓ４１は図１４のフローチャートの各ステップを意味する。
【００６５】
まず、Ｓ３１で血圧計コンプレッサ１２からエア溜部１６と単一カフ１９の流路を切り換える切換弁１３（フローチャートでは切換弁をＶ０で示している）がエア溜部１６に流れるＢ状態で、エア溜部１６に溜まったエアを排気するエア溜部排気弁１８（フローチャートではＶ３で示している）が閉鎖状態で、かつエア溜部１６の圧力を測定するエア溜部圧回路１７がオン状態にして、血圧測定スイッチ６をオンすると、血圧計コンプレッサ１２から流れるエアがエア溜部１６に流れ、エア溜部圧回路１７を作動してエア溜部１６のエアの圧力を測定し、所定の圧以上であることを検知するとＳ２２に進む。
【００６６】
Ｓ３２では、カフ装置１の動作を制御する制御回路１１からの信号でエア溜部１６の圧が所定の圧に達してｔ１時間経過後、切換弁１３を、血圧コンプレッサ１２から流れるエアを単一カフ１９に流れるようにＡ側に切り換え、単一カフ１９と接続する単一カフ排気弁２１（フローチャートではＶ２で示す）を閉鎖すると、血圧コンプレッサ１２から流れるエアは単一カフ１９に流れはじめる。
【００６７】
次にＳ３３に進み、エアが単一カフ１９にｎ秒間（図面では２秒）流れると、切換弁１３を再び、Ｂに切り換え、エア溜部排気弁１８（フローチャートではエア溜部排気弁をＶ３で示している）を開放してエア溜部１６に溜まったエアを排気する。
【００６８】
Ｓ３４に進み、モータ４６をオンして歯付ベルト４５を駆動して環４３を回転しそれに接続するカフ４１で被験者の測定部５１を締め付け、Ｓ３５でモータ４８に大きな駆動電圧を印加して流れる電流をＡ／Ｄ変換器４９でデジタル信号に変換して制御回路１１に導いて制御回路１１内で所定値と比較して所定値に達したときに、Ｓ３６に進み、制御回路１１からの信号によりモータ４８をオフし、次に先の大きな電圧に比べて小さな電圧を印加するとともに切換弁１３をＡ側に切り換える。
【００６９】
Ｓ３７で単一カフ１９の内圧が最大血圧より高い圧、（ＭＡＸ＋α）Ｈｇ、例えば２３０ｍｍＨｇまで圧力を加わると加圧を終了する。
【００７０】
Ｓ３８に進み、単一カフ排気弁２１を徐々に開いて減圧し、Ｓ３９でコロトコフ音が発生したときに最高血圧と判断し、更に減圧してコロトコフ音が消えたときに最低血圧と判断する。
【００７１】
単一カフ１９の内圧が所定の圧より小さい値になるのを検知してＳ４０に進み、単一カフ１９に接続する単一カフ圧回路２３の圧力がゼロになったときに、切換弁１３をＡからＢ側に切り換え、エア溜部排気弁１８をオンにし、Ｓ４１で血圧測定が終了させる。
【００７２】
図１７は、本発明における血圧計の被験者の腕を締め付けるカフを駆動するモータを停止させてコンプレッサを作動させるときにカフが不用意に移動するのを防止するための回路を示す回路図を示し、図１５で示すフローチャート、図１６で示すタイムチャートにおけるモータ４６を駆動する電圧を大電圧から小電圧に切り換える回路をしめす。
【００７３】
モータ駆動電圧制御回路４６Ｃの端子６が信号によりトランジスタＴＲのベースがＨになるとトランジスタＴＲはオフしリレーＲＳが不作動となる。リレーＲＳはオフ状態となる（リレーＲＳの接点状態は図示のとおり）。
【００７４】
モータ駆動電圧制御回路１６Ｃの端子２のＭｏｔｏｒ  ＤｒｉｖｅｒＭ＋がＭｏｔｏｒＭ＋に、端子３のＭｏｔｏｒ  ＤｒｉｖｅｒＭ−にＭｏｔｏｒＭ−の電圧が印加して腕を締め付ける。
【００７５】
トランジスタＴＲのベースがＬになるとトランジスタＴＲはオンしリレーＲＳは切り換わり、モータ−Ｍ−は接地され、弱い電圧であるＶｃｃの電圧が可変三端子レギュレータＲＥＧを介してＭｏｔｏｒＭ＋の電圧が印加して弱い力で腕を締め付ける。その電圧の調整は可変抵抗ＡＤＪＲで行なう。
【００７６】
モータＭ＋の電圧V０は、抵抗Ｒ１、可変抵抗Ｒ２、可変抵抗を流れる電流をiADJ、抵抗R1の端子電圧をVREFとすると、
V０＝VREF×（１＋Ｒ２／Ｒ１）＋Ｒ２×iADJ
となり、カフの圧力が上がって圧力に負けてカフ部が広がってしまうことを防ぐよう、カフが動く直前のところにレギュレータの出力を調整する。
【００７７】
また図１７はモータ４６の回転を止めた後に、カフによる圧力のためにモータが逆転するのを防止するためにモータを大電圧で駆動させた後、停止後も小電圧を加えて逆転するのを防止したが、モータ４６の回転によって回転するギア４８に対して歯と歯の間にモータ４６の停止時に不図示のロックレバを挿入し、ロックが必要ないときは不図示のマグネットを作動させてそのロックレバのロック状態を解除を行なってもよい。
【００７８】
これまで最高血圧、最低血圧を求める際にコロトコフ音を検出するリバロッチコロトコフ・コロトコフ検出方式を用いて説明したが、圧脈波が急激に大きくなったときのカフ圧を「最高血圧」、急激に小さくなったときのカフ圧を「最低血圧」とするオシロメトリック測定法を用いてもよいことはいうまでもない。
【００７９】
以上説明したように本発明の血圧測定システムおよびカフ装置では、カフを被験者の測定部位に巻いて血圧を測定するタイプの血圧計のカフに接続する配管を腕挿入型血圧計のカフ装置に取り付け、前者血圧計を起動して前者血圧計のコンプレッサからのエアを前者カフ装置のエア溜部に導いてその圧を検知してカフ装置のカフを作動させるので操作性のよい確実に適正な測定値を得ることのできる血圧計を提供することができる。
【００８０】
しかも、カフを被験者の測定部位に巻いて血圧を測定するタイプの血圧計とカフ装置とを電気的な通信を行なうことなしにカフ装置を作動させることができるので汎用性の高い血圧測定システムが実現できる。
【符号の説明】
【００８１】
１・・・・・・・・・・・・・カフ装置
２・・・・・・・・・・・・・カフ
３・・・・・・・・・・・・・腕載置台
４・・・・・・・・・・・・・配管
５・・・・・・・・・・・・・血圧計
６・・・・・・・・・・・・・血圧測定スイッチ
７・・・・・・・・・・・・・停止スイッチ
８・・・・・・・・・・・・・表示部
９・・・・・・・・・・・・・信号線
１０・・・・・・・・・・・・血圧計制御回路
１１・・・・・・・・・・・・制御回路
１２・・・・・・・・・・・・血圧計コンプレッサ
１３・・・・・・・・・・・・切換弁
１４・・・・・・・・・・・・配管
１５・・・・・・・・・・・・配管
１６・・・・・・・・・・・・エア溜部
１７・・・・・・・・・・・・エア溜部圧回路
１８・・・・・・・・・・・・エア溜部排気弁
１９・・・・・・・・・・・・単一カフ
２０・・・・・・・・・・・・配管
２１・・・・・・・・・・・・単一カフ排気弁
２２・・・・・・・・・・・・配管
２３・・・・・・・・・・・・単一カフ圧回路
２４・・・・・・・・・・・・配管
２５・・・・・・・・・・・・外側カフ
２６・・・・・・・・・・・・外側カフコンプレッサ
２７・・・・・・・・・・・・配管
２８・・・・・・・・・・・・排気弁Ａ
２９・・・・・・・・・・・・配管
３０・・・・・・・・・・・・内側カフ
４１・・・・・・・・・・・・カフ
４２・・・・・・・・・・・・パイプ
４３・・・・・・・・・・・・環
４４・・・・・・・・・・・・固定部
４５・・・・・・・・・・・・歯付ベルト
４６・・・・・・・・・・・・モータ
４７・・・・・・・・・・・・モータ軸
４８・・・・・・・・・・・・ギア
４９・・・・・・・・・・・・ギア軸
５０・・・・・・・・・・・・ギア
５１・・・・・・・・・・・・被験者の測定部
【図１】
0005636268.tif 000002
【図２】
0005636268.tif 000003
【図３】
0005636268.tif 000004
【図４】
0005636268.tif 000005
【図５】
0005636268.tif 000006
【図６】
0005636268.tif 000007
【図７】
0005636268.tif 000008
【図８】
0005636268.tif 000009
【図９】
0005636268.tif 000010
【図１０】
0005636268.tif 000011
【図１１】
0005636268.tif 000012
【図１２】
0005636268.tif 000013
【図１３】
0005636268.tif 000014
【図１４】
0005636268.tif 000015
【図１５】
0005636268.tif 000016
【図１６】
0005636268.tif 000017
【図１７】
0005636268.tif 000018
【図１８】
0005636268.tif 000019
【図１９】
0005636268.tif 000020